(57)【要約】  本発明の目的は、通話ボタン（１３）の押下が終了した後も保持される呼出状態に基づいて通話ボタン（１３）の押下が継続していることを検出できる非常通報システム（１）を提供することである。呼出状態は、かご（６）の内部においてインターホン子機（８）の通話ボタン（１３）が押下されるときに記憶される。呼出状態の記憶は、通話ボタン（１３）の押下が終了した後も保持される。通話ボタン（１３）の押下が継続していることは、予め設定された時間間隔で記憶が解除される呼出状態の再度の記憶を検知することで検出される。
2020026421.tif 000002
【特許請求の範囲】
【請求項１】
エレベーターのかごの内部において第１通話機の呼出装置が操作されるときに呼出状態を記憶し、前記呼出装置の操作が終了した後も前記呼出状態の記憶を保持する状態記憶部と、
予め設定された時間間隔で前記状態記憶部の前記呼出状態の記憶を解除させ、前記状態記憶部の前記呼出状態の再度の記憶を検知することで前記呼出装置の操作が継続していることを検出する検出部と、
を備えるエレベーターの非常通報システム。
【請求項２】
前記状態記憶部は、前記第１通話機に設けられる請求項１に記載のエレベーターの非常通報システム。
【請求項３】
前記状態記憶部の前記呼出状態の記憶を前記検出部が検知してから予め設定された設定時間を経過する前に前記かごの外部の場所において前記呼出状態の記憶が前記状態記憶部に保持されている間に鳴動する第２通話機からの応答がある場合に、前記第１通話機と前記第２通話機との間の通話をさせ、前記設定時間にわたって前記呼出装置が継続して操作されている場合に、前記第１通話機からの呼出を前記エレベーターの外部の監視センターに通報する通信制御部
を備える請求項１または請求項２に記載のエレベーターの非常通報システム。
【請求項４】
前記検出部は、前記第２通話機からの応答を模擬する信号を前記状態記憶部に送信することで前記呼出状態の記憶を解除させる請求項３に記載のエレベーターの非常通報システム。
【請求項５】
前記検出部は、前記状態記憶部の前記呼出状態の記憶の解除を、前記第２通話機からの応答がないと前記通信制御部が判定した後にさせる請求項３または請求項４に記載のエレベーターの非常通報システム。
【請求項６】
前記検出部は、前記呼出装置の操作が継続していないと判定した後に、前記状態記憶部に前記呼出状態を再び記憶させる請求項３から請求項５のいずれか一項に記載のエレベーターの非常通報システム。
【請求項７】
エレベーターのかごの内部に設けられ、呼出装置が操作されるときに呼出状態を記憶し、前記呼出装置の操作が終了した後も前記呼出状態の記憶を保持する第１通話機と、
予め設定された時間間隔で前記第１通話機の前記呼出状態の記憶を解除させ、前記第１通話機の前記呼出状態の再度の記憶を検知することで前記呼出装置の操作が継続していることを検出する非常通報装置と、
を備えるエレベーターの非常通報システム。
【請求項８】
前記かごの外部の場所に設けられ、前記呼出状態の記憶が前記第１通話機に保持されている間に鳴動する第２通話機
を備え、
前記非常通報装置は、前記第１通話機の前記呼出状態の記憶を検知してから予め設定された設定時間を経過する前に前記第２通話機からの応答がある場合に、前記第１通話機と前記第２通話機との間の通話をさせ、前記設定時間にわたって前記呼出装置が継続して操作されている場合に、前記第１通話機からの呼出を前記エレベーターの外部の監視センターに通報する請求項７に記載のエレベーターの非常通報システム。
【発明の詳細な説明】
【技術分野】
【０００１】
本発明は、エレベーターの非常通報システムに関する。
【背景技術】
【０００２】
特許文献１にエレベーターの非常通報システムの例が記載されている。非常通報システムは、呼出装置の操作を検知する。その後、非常通報システムは、利用者に操作を指示する。指示された操作を予め設定された時間の間に利用者が行ったときに、非常通報システムは、かごに設けられたインターホンとエレベーターの外部の監視センターとの間の通話をさせる。これにより、インターホンと監視センターとの間の不要な通信が抑制される。
【先行技術文献】
【特許文献】
【０００３】
【特許文献１】日本特開２０１７−１０５６０９号公報
【発明の概要】
【発明が解決しようとする課題】
【０００４】
特許文献１に記載の非常通報システムは、利用者の追加の操作によって必要な通信の操作と不要な通信の操作とを識別する。このため、利用者は、非常時においてその場で指示された操作に従って、追加で行う操作を判断する必要がある。これに対し、呼出装置が継続して操作されていることが検出できれば、非常通報システムは、利用者に追加の操作を指示することなく必要な通信と不要な通信とを識別することができる。ここで、インターホンなどにおいて、利用者の利便性のために、呼出装置の操作が終了した後もラッチ回路などによって呼出状態が保持されることがある。このとき、呼出装置の操作が継続していなくても、呼出状態は保持される。したがって、呼出状態に基づいて呼出装置の操作の継続が検出されない。【０００５】
本発明は、このような課題を解決するためになされた。本発明の目的は、呼出装置の操作が終了した後も保持される呼出状態に基づいて呼出装置の操作が継続していることを検出できるエレベーターの非常通報システムを提供することである。
【課題を解決するための手段】
【０００６】
本発明に係るエレベーターの非常通報システムは、エレベーターのかごの内部において第１通話機の呼出装置が操作されるときに呼出状態を記憶し、呼出装置の操作が終了した後も呼出状態の記憶を保持する状態記憶部と、予め設定された時間間隔で状態記憶部の呼出状態の記憶を解除させ、状態記憶部の呼出状態の再度の記憶を検知することで呼出装置の操作が継続していることを検出する検出部と、を備える。【０００７】
本発明に係るエレベーターの非常通報システムは、エレベーターのかごの内部に設けられ、呼出装置が操作されるときに呼出状態を記憶し、呼出装置の操作が終了した後も呼出状態の記憶を保持する第１通話機と、予め設定された時間間隔で第１通話機の呼出状態の記憶を解除させ、第１通話機の呼出状態の再度の記憶を検知することで呼出装置の操作が継続していることを検出する非常通報装置と、を備える。
【発明の効果】
【０００８】
本発明によれば、非常通報システムにおいて、呼出状態は、エレベーターのかごの内部において第１通話機の呼出装置が操作されるときに記憶される。呼出状態の記憶は、呼出装置の操作が終了した後も保持される。呼出装置の操作が継続していることは、予め設定された時間間隔で記憶が解除される呼出状態の再度の記憶を検知することで検出される。これにより、呼出装置の操作が終了した後も保持される呼出状態に基づいて呼出装置の操作が継続していることを検出できる。
【図面の簡単な説明】
【０００９】
【図１】実施の形態１に係る非常通報システムの構成図である。
【図２】実施の形態１に係る非常通報システムにおける通信の例を示す図である。
【図３】実施の形態１に係る非常通報システムにおける通信の例を示す図である。
【図４】実施の形態１に係る非常通報システムにおける通信の例を示す図である。
【図５】実施の形態１に係る非常通報システムにおける状態の遷移を示す図である。
【図６】実施の形態１に係る非常通報システムの動作の例を示すフローチャートである。
【図７】実施の形態１に係る非常通報システムの主要部のハードウェア構成を示す図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係る非常通報システムの構成図である。
【００１２】
非常通報システム１は、エレベーター２に適用される。エレベーター２は、建築物３に設けられる。建築物３は、管理人室４を有する。建築物３は、複数の階を有する。エレベーター２において、図示されない複数の昇降路の各々は、建築物３の各階を貫く。エレベーター２において、機械室５は、例えば複数の昇降路より上方に設けられる。エレベーター２は、複数のかご６と、制御盤７と、を備える。
【００１３】
複数のかご６の各々は、例えば図示されない巻上機によって、複数の昇降路の各々の内部を昇降しうるように設けられる。
【００１４】
制御盤７は、例えば機械室５に設けられる。制御盤７は、エレベーター２の動作を制御する装置である。エレベーター２の動作は、複数のかご６の各々の昇降を含む。制御盤７は、エレベーター２の状態を表す情報を収集しうるように、複数のかご６などに設けられる図示されないセンサーおよびスイッチなどに接続される。
【００１５】
非常通報システム１は、複数のインターホン子機８と、インターホン親機９と、複数の表示灯１０と、モデム１１と、遠隔監視装置１２と、を備える。
【００１６】
複数のインターホン子機８の各々は、第１通話機の例である。複数のインターホン子機８の各々は、複数のかご６の各々に設けられる。複数のインターホン子機８の各々は、制御盤７に接続される。複数のインターホン子機８の各々は、通話ボタン１３と、ラッチ回路１４と、を備える。
【００１７】
通話ボタン１３は、呼出装置の例である。通話ボタン１３は、利用者１５が押すことで操作される。通話ボタン１３の操作は、利用者１５が通話ボタン１３を離すことで終了する。
【００１８】
ラッチ回路１４は、状態記憶部の例である。ラッチ回路１４は、複数のインターホン子機８の各々に設けられる。ラッチ回路１４は、通話ボタン１３が操作されるときに呼出状態を記憶する回路である。ラッチ回路１４は、利用者１５が通話ボタン１３を離した後も呼出状態の記憶を保持する回路である。ラッチ回路１４は、呼出状態の記憶を表す信号を通信しうるように、制御盤７に接続される。
【００１９】
インターホン親機９は、第２通話機の例である。インターホン親機９は、管理人室４に設けられる。管理人室４は、複数のかご６の外部の場所である。管理人室４は、管理人１６が駐在する場所である。インターホン親機９は、制御盤７に接続される。インターホン親機９は、制御盤７の中継によって、複数のかご６の各々に設けられるインターホン子機８に接続される。インターホン親機９は、複数のかご６の各々に設けられるインターホン子機８のラッチ回路１４に接続される。インターホン親機９は、複数のかご６のいずれかのインターホン子機８のラッチ回路１４が呼出状態の記憶を保持している間に鳴動するスピーカーまたはベルなどを備える。インターホン親機９からの応答は、インターホン親機９が鳴動しているときに管理人１６が例えば受話器をオフフックすることで開始される。
【００２０】
複数の表示灯１０は、表示装置の例である。複数の表示灯１０は、管理人室４に設けられる。複数の表示灯１０の各々は、複数のかご６の各々に対応する。複数の表示灯１０の各々は、対応するかご６に設けられるインターホン子機８のラッチ回路１４が呼出状態の記憶を保持している間に点灯する装置である。
【００２１】
遠隔監視装置１２は、非常通報装置の例である。遠隔監視装置１２は、機械室５に設けられる。遠隔監視装置１２は、制御盤７に接続される。遠隔監視装置１２は、検出部１７と、通信制御部１８と、を備える。
【００２２】
検出部１７は、予め定められた時間である設定時間としてＮ秒を記憶している。設定時間は、例えば７秒である。検出部１７は、通話ボタン１３が継続して押されていることを検出する部分である。
【００２３】
通信制御部１８は、インターホン子機８からの通信を制御する部分である。
【００２４】
モデム１１は、機械室５に設けられる。モデム１１は、遠隔監視装置１２に接続される。モデム１１は、制御盤７が収集したエレベーター２の状態を表すデータを通信しうるように、当該データを表す信号の変調および復調を行う装置である。モデム１１は、複数のインターホン子機８の各々からの呼出を通信しうるように、当該呼出を表す信号の変調および復調を行う装置である。
【００２５】
図１における制御盤７において、インターホン信号の制御は、行われない。すなわち、制御盤７は、インターホン子機８、インターホン親機９および遠隔監視装置１２の間の通信について中継のみを行う。
【００２６】
非常通報システム１に対して、情報センター１９は、エレベーター２の外部に設けられる。情報センター１９は、モデム１１を通じてエレベーター２の状態を表すデータを受信する。情報センター１９は、例えば、受信したエレベーター２の状態を表すデータを蓄積する拠点である。情報センター１９において、エレベーター２および他のエレベーターについてのデータが蓄積される。情報センター１９において、例えばサーバーおよびクライアントが設けられる。このとき、非常通報システム１のモデム１１は、情報センター１９のサーバーに例えばＶＰＮ（Ｖｉｒｔｕａｌ  Ｐｒｉｖａｔｅ  Ｎｅｔｗｏｒｋ）を経由して接続される。
【００２７】
非常通報システム１に対して、監視センター２０は、エレベーター２の外部に設けられる。監視センター２０は、モデム１１を通じて複数のインターホン子機８の各々からの呼出を受信する。監視センター２０は、当該インターホン子機８からの呼出に対応するオペレーター２１が駐在している拠点である。監視センター２０において、エレベーター２および他のエレベーターの状態が監視される。監視センター２０において、例えばＩＰ電話２２（ＩＰ：Ｉｎｔｅｒｎｅｔ  Ｐｒｏｔｏｃｏｌ）が設けられる。ＩＰ電話２２は、オペレーター２１の対応に用いられる。このとき、非常通報システム１のモデム１１は、監視センター２０のＩＰ電話２２に例えばＶｏＩＰ（Ｖｏｉｃｅ  ｏｖｅｒ  ＩＰ）によってＶＰＮを経由して接続される。
【００２８】
引き続き図１を用いて、非常通報システム１の機能を説明する。
【００２９】
複数のインターホン子機８の各々に設けられるラッチ回路１４は、通話ボタン１３が押される前において、待機状態を記憶している。
【００３０】
複数のかご６のいずれかに乗車している利用者１５が当該かご６の外部の管理人１６と連絡をするときに、利用者１５は当該かご６に設けられたインターホン子機８の通話ボタン１３を押す。当該インターホン子機８のラッチ回路１４は、通話ボタン１３が押されたことを検出する。ラッチ回路１４は、呼出状態を記憶する。ラッチ回路１４は、呼出状態を記憶していることを表す信号をインターホン親機９および遠隔監視装置１２に制御盤７を通じて送信する。
【００３１】
利用者１５が当該インターホン子機８の通話ボタン１３を離した後も、当該インターホン子機８のラッチ回路１４は呼出状態の記憶を保持している。インターホン親機９は、当該インターホン子機８のラッチ回路１４が呼出状態の記憶を保持している間、鳴動を続ける。利用者１５が乗車しているかご６に対応する表示灯１０は、当該かご６に設けられるインターホン子機８のラッチ回路１４が呼出状態の記憶を保持している間、点灯する。
【００３２】
インターホン親機９は、複数のかご６のいずれかにおいて通話ボタン１３が押されたことを鳴動によって管理人１６に報知する。複数の表示灯１０は、通話ボタン１３を押した利用者１５が乗車しているかご６を点灯によって管理人１６に報知する。
【００３３】
遠隔監視装置１２の検出部１７は、制御盤７を通じて信号を受信することで、ラッチ回路１４の呼出状態の記憶を検知する。検出部１７は、内蔵するタイマーによる時間の計測を開始する。
【００３４】
通信制御部１８は、ラッチ回路１４の呼出状態の記憶を検出部１７が検知してから設定時間が経過する前にインターホン親機９からの応答があるかを判定する。
【００３５】
管理人１６がインターホン親機９の受話器をオフフックしたときに、インターホン親機９は、オフフックを表す信号を遠隔監視装置１２に制御盤７を通じて送信する。このとき、通信制御部１８は、インターホン親機９からの応答があると判定する。
【００３６】
インターホン親機９からの応答があると判定する場合に、通信制御部１８は、通話ボタン１３が押されたインターホン子機８とインターホン親機９との間の通話を制御盤７に中継させる。当該インターホン子機８とインターホン親機９との間の通話が終了したときに、当該インターホン子機８のラッチ回路１４は、待機状態を記憶する。
【００３７】
一方、インターホン親機９からの応答がないと通信制御部１８が判定する場合に、検出部１７は、通話ボタン１３が継続して押されているかを判定する。検出部１７による判定は、例えば次のように行われる。
【００３８】
検出部１７は、予め定められた時間として、ｎ秒の間待機する。ｎの値は、０．１程度またはこれより大きい数値である。ｎの値は、例えば１である。検出部１７が待機している間に、インターホン親機９、インターホン子機８および制御盤７などのハードウェアまたはソフトウェアにおいて、信号の処理または通信などの律速となる動作が行われる。
【００３９】
検出部１７は、ｎ秒の待機を行った回数を内蔵するカウンターにより数えることで、通話ボタン１３が継続して押されている時間を計測する。カウンターの初期値は、０である。検出部１７は、ｎ秒の間待機した後に、カウンターの値に１を加算する。
【００４０】
検出部１７は、ｎ秒の間待機した後に、インターホン親機９からのオフフック信号と電気的に等価なオフフック模擬信号をラッチ回路１４に送信する。これによって、検出部１７は、ラッチ回路１４の呼出状態の記憶を解除させる。
【００４１】
ラッチ回路１４の呼出状態の記憶が解除されたときに利用者１５が通話ボタン１３を押している場合に、ラッチ回路１４は、呼出状態を再び記憶する。ラッチ回路１４は、呼出状態を記憶していることを表す信号をインターホン親機９および遠隔監視装置１２に制御盤７を通じて送信する。検出部１７は、制御盤７を通じて信号を受信することで、通話ボタン１３が継続して押されていることを検出する。通話ボタン１３が継続して押されていると判定したときに、検出部１７は、カウンターの値を保持する。
【００４２】
一方、ラッチ回路１４の呼出状態の記憶が解除されたときに利用者１５が通話ボタン１３を離している場合に、ラッチ回路１４の呼出状態の記憶は、解除されたままである。ラッチ回路１４は、呼出状態を記憶していることを表す信号を制御盤７に送信しない。これにより、検出部１７は、通話ボタン１３が継続して押されていないことを検出する。通話ボタン１３が継続して操作されていないと判定したときに、検出部１７は、カウンターの値を０に初期化する。
【００４３】
検出部１７は、カウンターの値が閾値Ｍ以上となったときに、設定時間にわたって通話ボタン１３が継続して押されていると判定する。ここで、閾値Ｍは、設定時間であるＮ秒に対応するカウンターの値として、待機時間のｎの値に基づいて設定される。より具体的には、例えば、設定時間が７秒であり、待機時間が１秒である場合に、閾値Ｍの値は、設定時間を待機時間で割った値の７として設定される。
【００４４】
設定時間にわたって通話ボタン１３が継続して押されていると検出部１７が判定する場合に、通信制御部１８は、通報処理を行う。通信制御部１８は、当該通話ボタン１３が押されているインターホン子機８からの呼出を表す信号を監視センター２０に送信することで通報処理を行う。監視センター２０において、オペレーター２１は、通報された呼出にＩＰ電話２２から応答する。オペレーター２１がＩＰ電話２２から応答した場合に、通信制御部１８は、当該インターホン子機８とＩＰ電話２２との間の通話を制御盤７およびモデム１１を通じて中継する。当該インターホン子機８とＩＰ電話２２との間の通話が終了したときに、当該インターホン子機８のラッチ回路１４は、待機状態を記憶する。
【００４５】
一方、設定時間にわたって通話ボタン１３が継続して押されていないと判定する場合に、検出部１７は、通話ボタン１３が押されたインターホン子機８のラッチ回路１４に例えば通話ボタン１３の押下と電気的に等価な模擬信号を送信する。これによって、検出部１７は、ラッチ回路１４に呼出状態を再び記憶させる。インターホン親機９は、管理人室４において、再び鳴動を続ける。
【００４６】
続いて、図２から図４を用いて、非常通報システム１の通信の例を説明する。
図２から図４は、実施の形態１に係る非常通報システムにおける通信の例を示す図である。
【００４７】
図２において、ラッチ回路１４の呼出状態の記憶を検出部１７が検知してから設定時間が経過する前に通話ボタン１３が離された場合の通信の例が示される。
【００４８】
複数のかご６のいずれかに乗車している利用者１５は、当該かご６に設けられるインターホン子機８の通話ボタン１３を押す。当該インターホン子機８のラッチ回路１４は、通話ボタン１３が押されたことを外部トリガーとして、通話ボタン１３が押されたことを検出する。ラッチ回路１４は、呼出状態を記憶する。ラッチ回路１４は、呼出状態を記憶していることを表す信号をインターホン親機９および遠隔監視装置１２に送信する。
【００４９】
インターホン親機９は、ラッチ回路１４から受信した信号に基づいて鳴動する。このとき、管理人１６は、インターホン親機９の受話器をオフフックしていない。
【００５０】
遠隔監視装置１２の検出部１７は、ラッチ回路１４から受信した信号に基づいてラッチ回路１４の呼出状態の記憶を検知する。検出部１７は、タイマーによる時間の計測を開始する。検出部１７は、カウンターの値を０に初期化する。
【００５１】
通信制御部１８は、インターホン親機９からの応答がないと判定する。検出部１７は、ｎ秒の間待機する。その後、検出部１７は、カウンターの値に１を加算する。このとき、カウンターの値は１である。検出部１７は、通話ボタン１３が押されたインターホン子機８およびインターホン親機９にオフフック模擬信号を送信する。当該インターホン子機８のラッチ回路１４は、模擬信号を受信することにより呼出状態の記憶を解除する。このとき、利用者１５は通話ボタン１３を継続して押している。
【００５２】
通話ボタン１３が押されているインターホン子機８のラッチ回路１４は、通話ボタン１３が押されたことを外部トリガーとして、呼出状態を再び記憶する。ラッチ回路１４は、呼出状態を記憶していることを表す信号を遠隔監視装置１２およびインターホン親機９に送信する。
【００５３】
検出部１７は、ラッチ回路１４から受信した信号に基づいて通話ボタン１３が継続して押されていると判定する。検出部１７は、カウンターの値を１のまま保持する。検出部１７は、カウンターの値が閾値Ｍ以上となっているかを判定する。このとき、カウンターの値はＭ未満の１である。
【００５４】
インターホン親機９は、ラッチ回路１４から受信した信号に基づいて鳴動する。このとき、管理人１６は、インターホン親機９の受話器をオフフックしていない。
【００５５】
通信制御部１８は、インターホン親機９からの応答がないと判定する。検出部１７は、ｎ秒の間待機する。その後、検出部１７は、カウンターの値に１を加算する。このとき、カウンターの値は２である。検出部１７は、通話ボタン１３が押されているインターホン子機８およびインターホン親機９にオフフック模擬信号を送信する。当該インターホン子機８のラッチ回路１４は、模擬信号を受信することにより呼出状態の記憶を解除する。
【００５６】
ラッチ回路１４の呼出状態の再度の記憶およびその解除を繰り返した後に、利用者１５は、通話ボタン１３を離す。
【００５７】
通話ボタン１３が押されていたインターホン子機８のラッチ回路１４の呼出状態の記憶は、解除されたままである。ラッチ回路１４は、呼出状態を記憶していることを表す信号を遠隔監視装置１２およびインターホン親機９に送信しない。
【００５８】
このとき、インターホン親機９は、鳴動しない。検出部１７は、通話ボタン１３が継続して押されていないと判定する。通信制御部１８は、通話ボタン１３が押されていたインターホン子機８からの呼出を監視センター２０に通報しない。その後、遠隔監視装置１２は、タイマーの停止などの終了処理を行う。
【００５９】
図３において、ラッチ回路１４の呼出状態の記憶を検出部１７が検知してから設定時間が経過する前にインターホン親機９からの応答があった場合の通信の例が示される。
【００６０】
複数のかご６のいずれかに乗車している利用者１５は、当該かご６に設けられるインターホン子機８の通話ボタン１３を押す。
【００６１】
ラッチ回路１４の呼出状態の記憶の解除および再度の記憶を繰り返した後に、管理人１６は、インターホン親機９の受話器をオフフックすることで応答する。インターホン親機９は、通話ボタン１３が押されたインターホン子機８および遠隔監視装置１２にオフフック信号を送信する。
【００６２】
インターホン子機８の状態は、受信した信号に基づいて、インターホン親機９との間で通話が可能な状態となる。
【００６３】
通信制御部１８は、受信した信号に基づいて、インターホン親機９からの応答を検出する。通信制御部１８は、通話ボタン１３が押されたインターホン子機８とインターホン親機９との間の通話を制御盤７に中継させる。検出部１７は、通話ボタン１３が継続して押されていることの検出を中止する。その後、遠隔監視装置１２は、終了処理を行う。
【００６４】
図４において、設定時間にわたって通話ボタン１３が継続して押されていると遠隔監視装置１２が判定する場合の通信の例が示される。
【００６５】
複数のかご６のいずれかに乗車している利用者１５は、当該かご６に設けられるインターホン子機８の通話ボタン１３を押す。
【００６６】
ラッチ回路１４の呼出状態の記憶の解除および再度の記憶を繰り返した後に、検出部１７のカウンターの値は、閾値Ｍ以上となる。このとき、検出部１７は、設定時間にわたって通話ボタン１３が継続して押されていると判定する。その後、通信制御部１８は、通話ボタン１３が押されたインターホン子機８からの呼出を監視センター２０に通報する処理を開始する。
【００６７】
続いて、図５を用いて、検出部１７による呼出状態の記憶の解除と、通話ボタン１３が継続して押下されていることの判定との関係を説明する。
図５は、実施の形態１に係る非常通報システムにおける状態の遷移を示す図である。
【００６８】
図５において、紙面の右方向は、時間が進む向きである。通話ボタン１３が押されている状態は、図５の上から１段目のブロックによって表される。ラッチ回路１４に呼出状態が記憶されている状態は、図５の上から２段目のブロックによって表される。検出部１７のタイマーが計時している状態は、図５の上から３段目のブロックによって表される。インターホン親機９がオフフックされている状態は、図５の上から４段目のブロックによって表される。実施の形態１に係る検出部１７のタイマーの状態との比較のため、呼出状態の記憶の解除を行わない場合のタイマーが計時している状態は、図５の上から５段目のブロックに表される。
【００６９】
通話ボタン１３が押下されるときに、ラッチ回路１４は呼出状態を記憶する。検出部１７は、ラッチ回路１４の呼出状態の記憶を表す信号に基づいて通話ボタン１３の押下の開始を検出する。その後、検出部１７は、ラッチ回路１４の呼出状態の記憶を解除させる。
【００７０】
通話ボタン１３の押下が継続されているときに、ラッチ回路１４は、呼出状態を再び記憶する。検出部１７は、ラッチ回路１４の呼出状態の記憶を表す信号に基づいて通話ボタン１３の押下が継続されていることを検出する。その後、検出部１７は、ラッチ回路１４の呼出状態の記憶を解除させる。
【００７１】
通話ボタン１３の押下が継続されていないときに、ラッチ回路１４の呼出状態の記憶は、解除されたままである。検出部１７は、ラッチ回路１４の呼出状態の記憶に基づいて通話ボタン１３の押下が継続されていないことを検出する。その後、例えば検出部１７からの模擬信号によって、ラッチ回路１４は、呼出状態を再び記憶する。
【００７２】
このように、検出部１７は、通話ボタン１３の状態を直接表す信号を用いることなく、ラッチ回路１４の状態を表す信号に基づいて通話ボタン１３が継続して押下されているかを判定できる。また、通話ボタン１３が一度離された場合においても、検出部１７は、その後に通話ボタン１３が継続して押下されているかを判定できる。このため、検出部１７は、ラッチ回路１４の呼出状態の記憶を検知してから設定時間が経過する前にインターホン親機９からの応答があるかを判定できる。これにより、検出部１７は、エレベーター２の外部の監視センター２０との不要な通信の操作と必要な通信の操作とをより確実に識別できる。
【００７３】
これに対し、呼出状態の記憶の解除を行わない場合に、通話ボタン１３の押下が継続していなくてもラッチ回路１４の呼出状態の記憶は保持される。検出部１７は、ラッチ回路１４の呼出状態の記憶に基づいて通話ボタン１３が継続して押下されているかを判定できない。このため、通話ボタン１３が一度離された場合に、検出部１７は、その後に通話ボタン１３が継続して押下されているかを判定できない。
【００７４】
続いて、図６を用いて、非常通報システム１の動作の例を説明する。
図６は、実施の形態１に係る非常通報システムの動作の例を示すフローチャートである。
【００７５】
非常通報システム１の動作は、ステップＳ０１において、通話ボタン１３が押されたことをラッチ回路１４が検出することから開始する。その後、非常通報システム１の動作は、ステップＳ０２に進む。
【００７６】
ステップＳ０２において、検出部１７は、タイマーによる時間の計測を開始する。検出部１７は、カウンターの値を０に初期化する。その後、非常通報システム１の動作は、ステップＳ０３に進む。
【００７７】
ステップＳ０３において、通信制御部１８は、インターホン親機９からの応答があるかを判定する。判定結果がＹｅｓの場合に、非常通報システム１の動作は、ステップＳ０４に進む。判定結果がＮｏの場合に、非常通報システム１の動作は、ステップＳ０５に進む。
【００７８】
ステップＳ０４において、通信制御部１８は、通話ボタン１３が押されたインターホン子機８とインターホン親機９との通話を制御盤７に中継させる。その後、遠隔監視装置１２は、終了処理を行う。その後、非常通報システム１の動作は、終了する。
【００７９】
ステップＳ０５において、検出部１７は、インターホン親機９からの応答があるかを判定してからｎ秒経過したかを判定する。判定結果がＮｏの場合に、非常通報システム１の動作は、再びステップＳ０５に進む。判定結果がＹｅｓの場合に、通信制御部１８は、カウンターの値に１を加算する。その後、非常通報システム１の動作は、ステップＳ０６に進む。
【００８０】
ステップＳ０６において、検出部１７は、通話ボタン１３が押されたインターホン子機８のラッチ回路１４にオフフック模擬信号を送信する。その後、ラッチ回路１４は、呼出状態の記憶を解除する。その後、非常通報システム１の動作は、ステップＳ０７に進む。
【００８１】
ステップＳ０７において、検出部１７は、通話ボタン１３が継続して押されているかを判定する。判定結果がＮｏの場合に、非常通報システム１の動作は、ステップＳ０８に進む。判定結果がＹｅｓの場合に、非常通報システム１の動作は、ステップＳ０９に進む。
【００８２】
ステップＳ０８において、検出部１７は、カウンターの値を０に初期化する。その後、非常通報システム１の動作は、ステップＳ０９に進む。
【００８３】
ステップＳ０９において、検出部１７は、カウンターの値が閾値以上であるかを判定する。判定結果がＹｅｓの場合に、非常通報システム１の動作は、ステップＳ１０に進む。判定結果がＮｏの場合に、非常通報システム１の動作は、ステップＳ１１に進む。
【００８４】
ステップＳ１０において、通信制御部１８は、通話ボタン１３が押されたインターホン子機８からの呼出を監視センター２０に通報する。その後、遠隔監視装置１２は、終了処理を行う。その後、非常通報システム１の動作は、終了する。
【００８５】
ステップＳ１１において、検出部１７は、ラッチ回路１４に呼出状態を再び記憶させる。ここで、ラッチ回路１４が既に呼出状態を記憶している場合は、ラッチ回路１４は呼出状態の記憶を保持する。その後、非常通報システム１の動作は、ステップＳ０３に進む。
【００８６】
以上に説明したように、非常通報システム１は、ラッチ回路１４と、検出部１７と、を備える。ラッチ回路１４は、エレベーター２のかご６の内部においてインターホン子機８の通話ボタン１３が押下されるときに呼出状態を記憶する。ラッチ回路１４は、通話ボタン１３の押下が終了した後も呼出状態の記憶を保持する。検出部１７は、予め設定された時間間隔でラッチ回路１４の呼出状態の記憶を解除させる。検出部１７は、ラッチ回路１４の呼出状態の再度の記憶を検知することで通話ボタン１３の押下が継続していることを検出する。
【００８７】
また、非常通報システム１は、インターホン子機８と、遠隔監視装置１２と、を備える。インターホン子機８は、エレベーター２のかご６の内部に設けられる。インターホン子機８は、通話ボタン１３が押下されるときに呼出状態を記憶する。インターホン子機８は、通話ボタン１３の押下が終了した後も呼出状態の記憶を保持する。遠隔監視装置１２は、予め設定された時間間隔でインターホン子機８の呼出状態の記憶を解除させる。遠隔監視装置１２は、インターホン子機８の呼出状態の再度の記憶を検知することで通話ボタン１３の押下が継続していることを検出する。
【００８８】
非常通報システム１において、呼出状態は、エレベーター２のかご６の内部においてインターホン子機８の通話ボタン１３が押下されるときに記憶される。呼出状態の記憶は、通話ボタン１３の押下が終了した後も保持される。通話ボタン１３の押下が継続していることは、予め設定された時間間隔で記憶が解除される呼出状態の再度の記憶を検知することで検出される。これにより、通話ボタン１３の押下が終了した後も保持される呼出状態に基づいて通話ボタン１３の押下が継続していることを検出できる。
【００８９】
また、ラッチ回路１４は、インターホン子機８に設けられる。
【００９０】
これにより、遠隔監視装置１２を追加することで、既設のエレベーターに非常通報システム１を適用できる。ここで、既設のエレベーターは、インターホン子機とインターホン親機とを備えるシステムが適用されている。インターホン子機は、既設のエレベーターのかごに設けられている。インターホン子機は、ラッチ回路を備えている。インターホン親機は、既設のエレベーターのかごの外部の場所に設けられている。
【００９１】
検出部１７は、通話ボタン１３の状態を直接表す信号を用いることなく、ラッチ回路１４の状態を表す信号に基づいて通話ボタン１３が継続して押下されているかを判定する。このため、インターホン子機８と遠隔監視装置１２との間の配線が簡単になる。
【００９２】
また、非常通報システム１は、通信制御部１８を備える。インターホン親機９は、かご６の外部の場所において、ラッチ回路１４の呼出状態の記憶が保持されている間に鳴動する。インターホン親機９からの応答が通話ボタン１３の押下から予め設定された設定時間を経過する前にある場合に、通信制御部１８は、インターホン子機８とインターホン親機９との間の通話をさせる。設定時間にわたって通話ボタン１３が継続して押下されている場合に、通信制御部１８は、インターホン子機８からの呼出をエレベーター２の外部の監視センター２０に通報する。
【００９３】
また、非常通報システム１は、インターホン親機９を備える。インターホン親機９は、かご６の外部の場所に設けられる。インターホン親機９は、呼出状態の記憶がインターホン子機８に保持されている間に鳴動する。通話ボタン１３の押下から予め設定された設定時間を経過する前にインターホン親機９からの応答がある場合に、遠隔監視装置１２は、インターホン子機８とインターホン親機９との間の通話をさせる。設定時間にわたって通話ボタン１３が継続して押下されている場合に、遠隔監視装置１２は、インターホン子機８からの呼出をエレベーター２の外部の監視センター２０に通報する。
【００９４】
非常通報システム１において、呼出状態は、エレベーター２のかご６の内部においてインターホン子機８の通話ボタン１３が押下されるときに記憶される。呼出状態の記憶は、通話ボタン１３の押下が終了した後も保持される。インターホン親機９は、呼出状態の記憶が保持されている間に鳴動する。通話ボタン１３の押下から設定時間を経過する前にインターホン親機９からの応答がある場合に、インターホン子機８とインターホン親機９との間で通話がされる。設定時間にわたって通話ボタン１３が継続して押下されている場合に、非常通報システム１は、インターホン子機８からの呼出をエレベーター２の外部の監視センター２０に通報する。これにより、かご６の外部との通話を簡単な操作により開始することと、エレベーター２の外部の監視センター２０との不要な通信を抑制することとが両立される。
【００９５】
ここで、エレベーター２の外部の監視センター２０との不要な通信は、例えば、利用者１５の誤操作またはいたずらによる通信を含む。監視センター２０への通報は、通話ボタン１３の押下の継続が検出された場合に行われる。このため、利用者１５が誤って通話ボタン１３に設定時間より短い時間触れた場合に、遠隔監視装置１２は、監視センター２０への通報をしない。これにより、監視センター２０との不要な通信が抑制される。また、通信コストが低減される。
【００９６】
非常時の状況などによって、利用者１５は、通話ボタン１３を一度押した直後に通話ボタン１３を離してしまう可能性がある。この場合においても、ラッチ回路１４は呼出状態の記憶を保持する。ラッチ回路１４が呼出状態の記憶を保持している間、インターホン親機９は、鳴動する。すなわち、インターホン親機９は、利用者１５が通話ボタン１３を離した後も鳴動する。このため、管理人１６は、利用者１５が通話ボタン１３を離した後にインターホン親機９から応答することができる。これにより、利用者１５は、その場でなされた指示に従って追加の操作をすることなく、かご６の外部との通話を簡単な操作により開始することができる。
【００９７】
管理人１６が管理人室４に不在の時間帯などにおいて、利用者１５は、通話ボタン１３を継続して押すことによって、監視センター２０のオペレーター２１との通話を行うことができる。このため、利用者１５は、非常時においてかご６の外部との連絡をする複数の経路を持つことができる。これにより、利用者１５は、非常時においてかご６の外部との連絡をより確実にすることができる。
【００９８】
また、検出部１７は、インターホン親機９からの応答を模擬する信号をラッチ回路１４に送信することで呼出状態の記憶を解除させる。
【００９９】
これにより、インターホン子機８のインターフェイスを開発する必要がない。このため、非常通報システム１におけるインターホン子機８として、ラッチ回路１４を搭載した普及品のインターホンが利用できる。非常通報システム１の設置のコストが低減される。
【０１００】
また、検出部１７は、ラッチ回路１４の呼出状態の記憶の解除を、インターホン親機９からの応答がないと通信制御部１８が判定した後にさせる。
【０１０１】
これにより、管理人室４における管理人１６の応答が監視センター２０におけるオペレーター２１の応答より優先される。管理人室４は、エレベーター２の外部の監視センター２０より、利用者１５が乗車しているかご６に近い。また、管理人１６は、複数のエレベーター２を監視するオペレーター２１より、利用者１５が利用しているエレベーター２の現地の状況を熟知している。このため、管理人１６による応答が優先されることによって、利用者１５への対応がより迅速かつより適切になる。また、監視センター２０との通信を伴わない管理人１６による応答が優先されることで、通信コストが低減される。
【０１０２】
また、検出部１７は、通話ボタン１３の押下が継続していないと判定した後に、ラッチ回路１４に呼出状態を再び記憶させる。
【０１０３】
これにより、利用者１５が通話ボタン１３を離している場合にも、検出部１７がラッチ回路１４の呼出状態の記憶の解除をさせた後にインターホン親機９が継続して鳴動する。このため、管理人１６がより応答しやすくなる。
【０１０４】
また、表示灯１０は、対応するかご６に設けられるインターホン子機８のラッチ回路１４が呼出状態の記憶を保持している間に点灯する。これにより、管理人１６は、通話ボタン１３を押した利用者１５が乗車しているかご６を応答の前に特定できる。
【０１０５】
なお、エレベーター２は、かご６を一台のみ備えてもよい。非常通報システム１は、インターホン子機８を一台のみ備えてもよい。非常通報システム１は、複数のインターホン親機９を備えてもよい。
【０１０６】
第１通話機および第２通話機は、例えば内線電話またはＩＰ電話でもよい。
【０１０７】
状態記憶部は、ラッチ回路１４の他のハードウェアまたはソフトウェアなどであってもよい。状態記憶部は、例えば遠隔監視装置１２、インターホン親機９または制御盤７に設けられてもよい。状態記憶部は、１つの通話ボタン１３に対して複数設けられてもよい。
【０１０８】
表示装置は、通話ボタン１３を押した利用者１５が乗車しているかご６を管理人１６に報知する、複数の表示灯１０の他の装置であってもよい。表示装置は、インターホン親機９に設けられてもよい。表示装置による表示は、複数のかご６の各々の内部を監視するための映像とともに表示されてもよい。
【０１０９】
検出部１７がｎ秒の間待機しているときにインターホン親機９からの応答があった場合に、通信制御部１８は、通話ボタン１３が押されたインターホン子機８とインターホン親機９との通話を制御盤７に中継させてもよい。
【０１１０】
通話ボタン１３が継続して押下されていないと判定した後に、検出部１７は、通話ボタン１３が押下されてから予め定められた時間が経過した場合にラッチ回路１４に呼出状態を再び記憶させなくてもよい。非常通報システム１は、管理人室４においてインターホン親機９が継続して鳴動する時間に上限を設けることができる。
【０１１１】
通話ボタン１３が継続して押下されていないと判定した後に、検出部１７は、ラッチ回路１４に呼出状態を再び記憶させなくてもよい。通話ボタン１３が誤操作またはいたずらなどによって押された場合にインターホン親機９は長い時間継続して鳴動しない。このため、管理人１６の対応負担が軽くなる。
【０１１２】
検出部１７がラッチ回路１４の呼出状態の記憶を解除させる時間間隔は、不等間隔でもよい。例えば、検出部１７は、最初の時間間隔を次の時間間隔より長くしてもよい。利用者１５が通話ボタン１３を押した直後に通話ボタン１３を離した場合においても、インターホン親機９が鳴動する時間が確保される。これにより、管理人１６は、インターホン親機９からの応答がしやすくなる。
【０１１３】
検出部１７が記憶している設定時間は、管理人１６またはオペレーター２１などによって設定されてもよい。検出部１７がラッチ回路１４の呼出状態の記憶を解除させる時間間隔は、管理人１６またはオペレーター２１などによって設定されてもよい。
【０１１４】
管理人室４は、エレベーター２が設けられる建築物３と別棟に設けられてもよい。
【０１１５】
エレベーター２において、機械室５は設けられなくてもよい。このとき、制御盤７、遠隔監視装置１２およびモデム１１などは、例えば昇降路に設けられる。
【０１１６】
制御盤７は、複数の部分を別体に備えてもよい。制御盤７は、複数のかご６の各々の動作の制御を行う部分と、複数のかご６について群管理制御を行う部分と、を備えてもよい。
【０１１７】
遠隔監視装置１２の一部または全部は、制御盤７と一体に設けられてもよい。
【０１１８】
情報センター１９および監視センター２０は同一の拠点であってもよい。情報センター１９および監視センター２０の各々は複数の拠点からなっていてもよい。情報センター１９において、ウェブサーバが設けられてもよい。監視センター２０のオペレーター２１は、情報センター１９に蓄積された情報にウェブクライアントを介してアクセスしてもよい。情報センター１９は、インターホン子機８とＩＰ電話２２との間の通話の内容を表す情報を蓄積してもよい。
【０１１９】
実施の形態１におけるシステム、装置、機器、部分などの間の接続は、直接的または間接的な接続のいずれであってもよい。実施の形態１におけるシステム、装置、機器、部分などの間の通信は、直接的または間接的な通信のいずれであってもよい。
【０１２０】
続いて、図７を用いて非常通報システム１のハードウェア構成の例について説明する。
図７は、実施の形態１に係る非常通報システムの主要部のハードウェア構成を示す図である。
【０１２１】
非常通報システム１の各機能は、処理回路により実現し得る。処理回路は、少なくとも１つのプロセッサ１ｂと少なくとも１つのメモリ１ｃとを備える。処理回路は、プロセッサ１ｂおよびメモリ１ｃと共に、あるいはそれらの代用として、少なくとも１つの専用のハードウェア１ａを備えてもよい。
【０１２２】
処理回路がプロセッサ１ｂとメモリ１ｃとを備える場合、非常通報システム１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１ｃに格納される。プロセッサ１ｂは、メモリ１ｃに記憶されたプログラムを読み出して実行することにより、非常通報システム１の各機能を実現する。
【０１２３】
プロセッサ１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【０１２４】
処理回路が専用のハードウェア１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【０１２５】
非常通報システム１の各機能は、それぞれ処理回路で実現することができる。あるいは、非常通報システム１の各機能は、まとめて処理回路で実現することもできる。非常通報システム１の各機能について、一部を専用のハードウェア１ａで実現し、他部をソフトウェアまたはファームウェアで実現してもよい。このように、処理回路は、ハードウェア１ａ、ソフトウェア、ファームウェア、またはこれらの組み合わせで非常通報システム１の各機能を実現する。
【産業上の利用可能性】
【０１２６】
本発明に係る非常通報システムは、エレベーターに適用できる。
【符号の説明】
【０１２７】
１  非常通報システム、  ２  エレベーター、  ３  建築物、  ４  管理人室、  ５  機械室、  ６  かご、  ７  制御盤、  ８  インターホン子機、  ９  インターホン親機、  １０  表示灯、  １１  モデム、  １２  遠隔監視装置、  １３  通話ボタン、  １４  ラッチ回路、  １５  利用者、  １６  管理人、  １７  検出部、  １８  通信制御部、  １９  情報センター、  ２０  監視センター、  ２１  オペレーター、  ２２  ＩＰ電話、  １ａ  ハードウェア、  １ｂ  プロセッサ、  １ｃ  メモリ
【図１】
2020026421.tif 000003
【図２】
2020026421.tif 000004
【図３】
2020026421.tif 000005
【図４】
2020026421.tif 000006
【図５】
2020026421.tif 000007
【図６】
2020026421.tif 000008
【図７】
2020026421.tif 000009
【国際調査報告】
2020026421.tif 000010
2020026421.tif 000011
2020026421.tif 000012
2020026421.tif 000013